(57)【特許請求の範囲】
【請求項１】
略直線状の放電路を有するランプを配設可能の器具本体と略同程度の長さとなるように一直線状に配設される複数の器具本体と；
これら複数の器具本体のうち隣り合う一対の器具本体を略八の字状に連結するとともに、この器具本体を設置する設置面に対して器具本体を弾性的に締め上げて設置可能にした連結体と；
器具本体に配設される略Ｕ字状の放電路を有する片口金形ランプと；
を具備していることを特徴とする照明器具。
【請求項２】
器具本体は、一対であるとともに、長手状でその長手方向と交差する断面が断面略コ字状に設けられ、
連結体は、器具本体の長手方向の端部に嵌合可能とする断面略コ字状に設けられている
ことを特徴とする請求項１記載の照明器具。
【請求項３】
互いに連結される器具本体の端部に対して反対側の各端部に、片口金形ランプが接続されるランプソケットを備えている
ことを特徴とする請求項１または２記載の照明器具。
【請求項４】
器具本体の両端部に設けられるランプソケット取付部と；
器具本体のいずれか一方のランプソケット取付部に取り付けられ、片口金形ランプが接続されるランプソケットと；
一端にランプソケットが挿通されるランプソケット挿通部を有し、ランプソケット挿通部を有する一端側が器具本体の両端部に対していずれの向きでも器具本体に取付可能とする反射体と；を備えている
ことを特徴とする請求項１または２記載の照明器具。
【発明の詳細な説明】
【０００１】
【発明の属する技術分野】
本発明は、片口金形ランプを使用する照明器具に関する。
【０００２】
【従来の技術】
従来、例えば、略直線状の放電路を有する１１０Ｗ形の直管形蛍光ランプなど、規定のランプ長さが長い直管形蛍光ランプを使用する照明器具では、ランプ長さに対応して器具長さが長く、取扱性に問題があり、また、明るさを高くするには、２本の直管形蛍光ランプを並設しなければならず、器具幅方向に大形になる問題がある。
【０００３】
また、例えば、特許第２６４９１０８号公報に記載されているように、略Ｕ字状の放電路を有する片口金形ランプを使用する照明器具があり、この照明器具では、器具長さが直管形蛍光ランプを用いる照明器具に比べて略半分程度と短く、取扱性が良好になる。このような照明器具を例えば２台用いて直線状に配列することにより、直管形蛍光ランプを使用する１台の照明器具に置き換えて設置可能としている。
【０００４】
【発明が解決しようとする課題】
しかしながら、片口金形ランプを使用する照明器具では、直管形蛍光ランプを使用する照明器具に対して１台ずつの器具長さ方向の寸法を短くできるが、直管形蛍光ランプを使用する１台の照明器具に置き換えて、片口金形ランプを使用する２台の照明器具を設置する場合、これら２台の照明器具を１台ずつ個別に設置しなければならない。器具本体の設置場所は天井面などの高所にあって、作業員が脚立などに登って作業するので、登り降りを頻繁に繰り返さなければならないなど、施工性に問題がある。
【０００５】
本発明は、このような点に鑑みなされたもので、片口金形ランプが配設される複数の器具本体を１度に設置可能とすることにより、施工性を向上させた照明器具を提供することを目的とする。
【０００６】
【課題を解決するための手段】
請求項１記載の照明器具は、略直線状の放電路を有するランプを配設可能の器具本体と略同程度の長さとなるように一直線状に配設される複数の器具本体と；これら複数の器具本体のうち隣り合う一対の器具本体を略八の字状に連結するとともに、この器具本体を設置する設置面に対して器具本体を弾性的に締め上げて設置可能にした連結体と；器具本体に配設される略Ｕ字状の放電路を有する片口金形ランプと；を具備しているものである。
【０００７】
そして、連結体により、略直線状の放電路を有するランプを配設可能の器具本体と略同程度の長さとなるように複数の器具本体を一直線状でかつ一体に連結するので、複数の器具本体を１度に設置可能とし、施工性を向上させる。さらに、連結体により、一対の器具本体を略八の字状に連結するとともに、この器具本体を設置する設置面に対して器具本体を弾性的に締め上げて設置可能にしたので、設置面に対する器具本体の密着性を向上させて取り付けを確実にする。
【０００８】
請求項２記載の照明器具は、請求項１記載の照明器具において、器具本体は、一対であるとともに、長手状でその長手方向と交差する断面が断面略コ字状に設けられ、連結体は、器具本体の長手方向の端部に嵌合可能とする断面略コ字状に設けられているものである。
【０００９】
そして、断面略コ字状の連結体を一対の器具本体の長手方向の端部間に嵌合して、これら一対の器具本体を長手方向に一体に連結するので、強固に連結可能とする。
【００１０】
請求項３記載の照明器具は、請求項１または２記載の照明器具において、互いに連結される器具本体の端部に対して反対側の各端部に、片口金形ランプが接続されるランプソケットを備えているものである。
【００１１】
そして、互いに連結される器具本体の端部に対して反対側の各端部に、片口金形ランプが接続されるランプソケットを備えるので、連結部分にランプソケットが位置せず、連結部分を通じての配線などの処理を容易にする。
【００１２】
請求項４記載の照明器具は、請求項１または２記載の照明器具において、器具本体の両端部に設けられるランプソケット取付部と；器具本体のいずれか一方のランプソケット取付部に取り付けられ、片口金形ランプが接続されるランプソケットと；一端にランプソケットが挿通されるランプソケット挿通部を有し、ランプソケット挿通部を有する一端側が器具本体の両端部に対していずれの向きでも器具本体に取付可能とする反射体と；を備えているものである。
【００１３】
そして、ランプソケット取付部を器具本体の両端部に設け、片口金形ランプが接続されるランプソケットを器具本体のいずれか一方のランプソケット取付部に取り付け、ランプソケット挿通部を有する反射体を器具本体の両端部に対していずれの向きでも取付可能とするので、片口金形ランプの向きを任意に設定可能とする。
【００１４】
【発明の実施の形態】
以下、本発明の一実施の形態を図面を参照して説明する。
【００１５】
図１は照明器具の分解状態の斜視図、図２は照明器具の連結部分の拡大状態の斜視図、図３照明器具の設置を説明する説明図、図４照明器具の組立状態の斜視図である。
【００１６】
図において、照明器具11は、２本の片口金形ランプ12を使用し、これら片口金形ランプ12を直線状に配列するようにしている。片口金形ランプ12は、略Ｕ字状の放電路を有する蛍光ランプであり、一端に口金部13を有し、この口金部13の一端面から発光管14が突設され、他端面から接続ピン15が突設されている。発光管14は、一対のバルブ16を有し、これらバルブ16の先端部が図示しない連通管を介して互いに連通されて略Ｕ字状の放電路が形成されている。
【００１７】
照明器具11は、例えば略直線状の放電路を有する１１０Ｗ形の直管形蛍光ランプなどの規定のランプ長さに対応する器具長さで器具長さ方向に２分割された２つの器具本体21を有し、これら各器具本体21は、片口金形ランプ12に対応して長手状でその長手方向と交差する方向に断面略コ字状に形成されており、すなわち、取付面部22、この取付面部22の両側から互いに対向するように折曲された側面部23を有し、側面部23の先端縁には側面部23の外面側に折り返される折返部24が形成されている。取付面部22は、側面部23が折曲突出される側の面を内面（下面）とするとともに反対側の面を外面（上面）とし、この外面が天井などの設置面25に接合して取り付けられる取付面26として構成されている。
【００１８】
これら器具本体21は、各器具本体21の長手方向の端部に嵌合する連結体27によって長手方向に一体に連結されている。この連結体27は、基板部28およびこの基板部28の両側から互いに対向するように折曲された側板部29を有する断面略コ字状に形成されている。そして、連結体27の両端が連結する各器具本体21の長手方向の端部に嵌合されて、基板部28が器具本体21の取付面部22の内面に接合されるとともに、各側板部29が器具本体21の側面部23の内面に接合され、各側板部29が器具本体21の側面部23に図示しない複数のねじなどで一体に固定されている。連結体27で連結された器具本体21は、図３に示すように、例えば１１０Ｗ形の直管形蛍光ランプなどの規定のランプ長さに対応する器具長さと略同程度の長さとされるとともに、各器具本体21の取付面26が連結部分を中心として互いに傾斜する状態、すなわち互いに連結された器具本体21の取付面26が全体として凸状になるように連結されている。
【００１９】
各器具本体21の両端部には取付体31が取り付けられている。この取付体31は、器具本体21の両側面部23の内面に取り付けられる両側の取付板部32を有し、これら取付板部32間に、ランプソケット取付部33と反射体取付部34とが互いに離間した状態で形成されている。各取付板部32には、器具本体21の両側面部23に図示しないねじなどによって取り付けられる複数の取付孔35が形成されている。ランプソケット取付部33は、器具本体21の端部に位置し、器具本体21の内方に向けて略コ字状に形成されている。反射体取付部34は、ランプソケット取付部33から離間して位置し、中央部が器具本体21の取付板部32から離反する方向に突出され、その中央部に取付孔36が形成されている。
【００２０】
各器具本体21の連結される端部とは反対の端部に位置する一方のランプソケット取付部33には、片口金形ランプ12の口金部13が電気的および機械的に接続されるランプソケット37が取り付けられている。
【００２１】
各器具本体21の取付面部22の内面にはインバータ方式の点灯装置38が配設され、一方の器具本体21の取付面部22の内面には端子台39が配設されている。各器具本体21内において各点灯装置38の出力部と各ランプソケット37とが図示しない配線で電気的に接続され、各点灯装置38の電源入力部と端子台39とが図示しない配線で電気的に接続され、端子台39には施工時に設置面25側から一方の器具本体21内に引き込まれる図示しない電源線が電気的に接続される。一方の器具本体21の端子台39と他方の器具本体21のランプソケット37とを接続する配線は、両器具本体21の連結部分を挿通して配線される。
【００２２】
各器具本体21には、各器具本体21と同様に２分割された２つの各反射体41がそれぞれ取り付けられている。これら各反射体41は、器具本体21に対応して長手状でその長手方向と交差する方向に断面略円弧状の反射面42が形成され、両端には端板43が取り付けられている。各反射体41の一端側にはランプソケット37が挿通されるランプソケット挿通部44が形成され、他端側近傍にはランプソケット37に接続された片口金形ランプ12の発光管14の先端側を着脱可能に保持するホルダ45が取り付けられている。そして、各反射体41は、器具本体21のランプソケット37の取付位置に応じて、ランプソケット挿通部44を有する一端側が器具本体21の両端部に対していずれの向きでもその器具本体21に対して被着して取付可能とし、被着状態において反射面42に形成された挿通孔46を通じて化粧ねじ47を反射体取付部34の取付孔36に螺着することで器具本体21に取り付けることができる。
【００２３】
そして、照明器具11は、例えば物流時に、器具本体21を分離した状態とすることで、取扱性を損なうほど長尺となることがなく、容易に取り扱うことができる。
【００２４】
施工時には、連結体27により、一対の器具本体21のランプソケット37が配置されていない端部同士を一体に連結する。すなわち、連結体27を器具本体21の長手方向の端部間に嵌合して、連結体27の各側板部29を器具本体21の側面部23に図示しない複数のねじなどで締め付け固定することにより、一対の器具本体21を長手方向に一体に連結する。このとき、器具本体21および連結体27がともに断面略コ字状で互いに嵌合し合う状態で固定されるので、強固に連結できる。そして、連結体27で連結された器具本体21は、図３に示すように、例えば１１０Ｗ形の直管形蛍光ランプなどの規定のランプ長さに対応する器具長さと略同じ長さとされるとともに、各器具本体21の取付面26が連結部分を中心として互いに傾斜する状態、すなわち互いに連結された器具本体21の取付面26が全体として凸状になるように連結される。
【００２５】
一対の器具本体21の連結後に、両器具本体21の連結部分を挿通して、一方の器具本体21の端子台39と他方の器具本体21のランプソケット37とを配線で接続する。
【００２６】
一体に連結された両器具本体21の取付面26を設置面25に接合し、各器具本体21の取付面部22を通じて図示しない複数のボルトなどを設置面25に螺合し、器具本体21を設置面25に締め付け固定する。このとき、図３に示すように、各器具本体21の取付面26が連結部分を中心として互いに傾斜する状態、すなわち互いに連結された器具本体21の取付面26が全体として凸状になるように連結されるので、設置面25に対して器具本体21を弾性的に締め上げて設置することができ、設置面25に対する器具本体21の取付面26の密着性を向上させて確実に取り付けることができる。
【００２７】
器具本体21を設置後に、設置面25から一方の器具本体21内に引き込まれる電源線を端子台39に接続する。
【００２８】
各反射体41のランプソケット挿通部44に器具本体21のランプソケット37を挿通させて、各反射体41を各器具本体21に被着し、複数の化粧ねじ47を反射面42の挿通孔46を通じて反射体取付部34の取付孔36に螺着し、各反射体41を各器具本体21に取り付ける。
【００２９】
片口金形ランプ12の口金部13をランプソケット37に接続するとともに発光管14の先端側をホルダ45に取り付ける。
【００３０】
このように施工された照明器具11は、図４に示すように、２本の片口金形ランプ12の口金部13が互いに反対側に位置するとともに発光管14の先端同士が互いに対向するように配列される。
【００３１】
以上のように、連結体27により、略直線状の放電路を有する直管形蛍光ランプを配設可能の器具本体と略同程度の長さとなるように複数の器具本体21を一直線状でかつ一体に連結するので、複数の器具本体21を１度に設置でき、施工性を向上できる。
【００３２】
また、断面略コ字状の連結体27を一対の器具本体21の長手方向の端部間に嵌合して、これら一対の器具本体21を長手方向に一体に連結するので、強固に連結できる。
【００３３】
また、連結体27により、一対の器具本体21を略八の字状に連結するとともに、この器具本体21を設置する設置面に対して器具本体21を弾性的に締め上げて設置可能にしたので、互いに連結された器具本体12の取付面26が凸状となり、器具本体21の取付面26を設置面25に対してボルトなどで接合状態に設置する場合に、設置面25に対して器具本体21を弾性的に締め上げて設置することができ、設置面25に対する器具本体21の取付面26の密着性を向上させて確実に取り付けることができる。
【００３４】
また、互いに連結される器具本体21の端部に対して反対側の各端部に、片口金形ランプ12が接続されるランプソケット37を備えるので、連結部分にランプソケット37が位置せず、連結部分を通じての配線などの処理を容易にできる。
【００３５】
また、ランプソケット取付部33を器具本体21の両端部に設け、片口金形ランプ12が接続されるランプソケット37を器具本体21のいずれか一方のランプソケット取付部33に取り付け、ランプソケット挿通部44を有する反射体41を器具本体21の両端部に対していずれの向きでも取付可能とするので、ランプソケット37が器具本体21のいずれの端部側にある状態にも配置でき、片口金形ランプ12の向きを任意に設定できる。
【００３６】
すなわち、図５に示すように、各ランプソケット37を各器具本体21の同一側の端部に配置し、２本の片口金形ランプ12を同一方向に向けて配列することができる。あるいは、図６に示すように、各ランプソケット37を各器具本体21の連結側の端部に配置し、２本の片口金形ランプ12を口金部13が互いに対向して位置するとともに発光管14の先端同士が互いに反対に向くように配列できる。
【００３７】
また、図７に示すように、図５に示す照明器具11を複数用い、これら照明器具11を直線状に設置することにより、片口金形ランプ12を同一方向に向けて配列することができる。あるいは、図８に示すように、図４に示す照明器具11または図６に示す照明器具11を複数用い、これら照明器具11を直線状に設置することにより、片口金形ランプ12を交互に逆方向に向けて配列することができる。
【００３８】
なお、連結体27により連結する各器具本体21の取付面26が連結部分を中心として互いに傾斜する状態に連結する場合、互いに連結された器具本体21の取付面26が凹状となるように連結しても、設置面25に対して器具本体21を弾性的に締め上げて設置することができ、設置面25に対する器具本体21の取付面26の密着性を向上させて確実に取り付けることができる。
【００３９】
また、照明器具11は、連結体27を用いて、２台の器具本体21を一体に連結して構成する場合に限らず、３台以上の器具本体21を一体に連結して構成しても、同様の作用効果を得られる。
【００４０】
また、ランプとしては、片口金形ランプ12に限らず、両端に口金を有する直管形ランプを用いる場合にも適用できる。
【００４１】
【発明の効果】
請求項１記載の照明器具によれば、連結体により、略直線状の放電路を有するランプを配設可能の器具本体と略同程度の長さとなるように、略Ｕ字状の放電路を有する片口金形ランプが配設される複数の器具本体を一直線状でかつ一体に連結するので、複数の器具本体を１度に設置でき、施工性を向上できる。さらに、連結体により、一対の器具本体を略八の字状に連結するとともに、この器具本体を設置する設置面に対して器具本体を弾性的に締め上げて設置可能にしたので、設置面に対する器具本体の密着性を向上させて確実に取り付けることができる。
【００４２】
請求項２記載の照明器具によれば、請求項１記載の照明器具の効果に加えて、断面略コ字状の連結体を一対の器具本体の長手方向の端部間に嵌合して、これら一対の器具本体を長手方向に一体に連結するので、強固に連結できる。
【００４３】
請求項３記載の照明器具によれば、請求項１または２記載の照明器具の効果に加えて、互いに連結される器具本体の端部に対して反対側の各端部に、片口金形ランプが接続されるランプソケットを備えるので、連結部分にランプソケットが位置せず、連結部分を通じての配線などの処理を容易にできる。
【００４４】
請求項４記載の照明器具によれば、請求項１または２記載の照明器具の効果に加えて、ランプソケット取付部を器具本体の両端部に設け、片口金形ランプが接続されるランプソケットを器具本体のいずれか一方のランプソケット取付部に取り付け、ランプソケット挿通部を有する反射体を器具本体の両端部に対していずれの向きでも取付可能とするので、ランプソケットが器具本体のいずれの端部側にある状態にも配置でき、片口金形ランプの向きを任意に設定できる。
【図面の簡単な説明】
【図１】  本発明の一実施の形態を示す照明器具の分解状態の斜視図である。
【図２】  同上照明器具の連結部分の拡大状態の斜視図である。
【図３】  同上照明器具の設置を説明する説明図である。
【図４】  同上照明器具の組立状態の斜視図である。
【図５】  同上照明器具の片口金形ランプの向きを変えた斜視図である。
【図６】  同上照明器具の片口金形ランプの向きを他に変えた斜視図である。
【図７】  同上照明器具を連設した斜視図である。
【図８】  同上照明器具を連設するとともに片口金形ランプの向きを変えた斜視図である。
【符号の説明】
11    照明器具
12    片口金形ランプ
21    器具本体
27    連結体
33    ランプソケット取付部
37    ランプソケット
41    反射体
44    ランプソケット挿通部
【図１】
0004061447.tif 000002
【図２】
0004061447.tif 000003
【図３】
0004061447.tif 000004
【図４】
0004061447.tif 000005
【図５】
0004061447.tif 000006
【図６】
0004061447.tif 000007
【図７】
0004061447.tif 000008
【図８】
0004061447.tif 000009